(57)【要約】【課題】高精細画素では、対向基板側のブラックマトリクスの形成においてコーナー部がマスクパターンのようには形成できず、丸まりによる開口率低下が生じる。特にデュアルドメイン化の際、ブラックマトリクスが屈曲している部分ではその影響が顕在化する。【解決手段】表示装置は第１の方向に延在する走査線と第２の方向に延在する信号線とを備える。前記信号線は、複数画素ごとに前記第２の方向に対して第１の所定の角度傾いて延伸し、複数画素ごとに前記第２の方向に対して第２の所定の角度傾いて延伸し、ジグザグ状に前記第２の方向に延在するようにされる。【選択図】図５
2016126179.tif 000002
【特許請求の範囲】
【請求項１】
表示装置は、
第１の方向に延在する走査線と、
第２の方向に延在する信号線と、
を備え、
前記信号線は、複数画素ごとに前記第２の方向に対して第１の所定の角度傾いて延伸し、複数画素ごとに前記第２の方向に対して第２の所定の角度傾いて延伸し、ジグザグ状に前記第２の方向に延在するようにされる。
【請求項２】
請求項１の表示装置において、
前記信号線は、２画素ごとに前記第２の方向に対して第１の所定の角度傾いて延伸し、２画素ごとに前記第２の方向に対して第２の所定の角度傾いて延伸し、ジグザグ状に前記第２の方向に延在するようにされる。
【請求項３】
請求項１の表示装置において、
前記信号線は、４画素ごとに前記第２の方向に対して第１の所定の角度傾いて延伸し、４画素ごとに前記第２の方向に対して第２の所定の角度傾いて延伸し、ジグザグ状に前記第２の方向に延在するようにされる。
【請求項４】
請求項１の表示装置において、
赤の副画素と緑の副画素と青の副画素とで構成される第１および第３の画素と、
赤の副画素と緑の副画素と白の副画素とで構成される第２および第４の画素と、
を備え、
前記第１および第３の画素の赤の副画素と緑の副画素は前記第２の方向に沿って配置され、前記第１および第３の画素の青の副画素は赤の副画素および緑の副画素と前記第１の方向に隣接して配置され、
前記第２および第４の画素の赤の副画素と緑の副画素は前記第２の方向に沿って配置され、前記第２および第４の画素の白の副画素は赤の副画素および緑の副画素と前記第１の方向に隣接して配置され、
前記第１、第２、第３および第４の画素は、この順に前記第２の方向にそれぞれ隣接して配置され、
前記第１および第２の画素の画素電極は前記第２の方向に対して前記第１の所定の角度傾いて延伸し、
前記第３および第４の画素の画素電極は前記第２の方向に対して前記第２の所定の角度傾いて延伸するようにされる。
【請求項５】
請求項１の表示装置において、
赤の副画素と緑の副画素と青の副画素とで構成される第１、第３、第５および第７の画素と、
赤の副画素と緑の副画素と白の副画素とで構成される第２、第４、第６および第８の画素と、
を備え、
前記第１、第３、第５および第７の画素の赤の副画素と緑の副画素は前記第２の方向に沿って配置され、前記第１、第３、第５および第７の画素の青の副画素は赤の副画素および緑の副画素と前記第１の方向に隣接して配置され、
前記第２、第４、第６および第８の画素の赤の副画素と緑の副画素は前記第２の方向に沿って配置され、前記第２、第４、第６および第８の画素の白の副画素は赤の副画素および緑の副画素と前記第１の方向に隣接して配置され、
前記第１から第８の画素は、この順に前記第２の方向にそれぞれ隣接して配置され、
前記第１から第４の画素の画素電極は前記第２の方向に対して前記第１の所定の角度傾いて延伸し、
前記第５から第８の画素の画素電極は前記第２の方向に対して前記第２の所定の角度傾いて延伸するようにされる。
【請求項６】
請求項１の表示装置において、
アレイ基板と、
対向基板と、
前記アレイ基板と前記対向基板との間に挟持される液晶層と、
を備え、
前記アレイ基板は前記走査線と前記信号線とを備える。
【請求項７】
請求項１の表示装置において、
前記対向基板は、前記第１の方向に延在する第１のフォトスペーサと、前記第１の方向から第３の所定の角度傾いて延在する第２のフォトスペーサと、を備え、
前記アレイ基板は、前記第１のフォトスペーサと交差する第３のフォトスペーサと、前記第２のフォトスペーサと交差する第４のフォトスペーサと、を備える。
【請求項８】
請求項７の表示装置において、
前記第３の所定の角度は前記第１の所定の角度または前記第２の所定の角度である。
【請求項９】
請求項８の表示装置において、
前記第２のフォトスペーサと第４のフォトスペーサとは直交するように配置される。
【請求項１０】
表示装置は、
アレイ基板と、
対向基板と、
前記アレイ基板と前記対向基板との間に挟持される液晶層と、
を備え、
前記アレイ基板は、
第１の方向に延在する第１から第５の走査線と、
第２の方向に延在する信号線と、
前記第１の走査線と第２の走査線との間に配置される第１の画素と、
前記第２の走査線と第３の走査線との間に配置され、前記第１の画素に隣接する第２の画素と、
前記第３の走査線と第４の走査線との間に配置され、前記第２の画素に隣接する第３の画素と、
前記第４の走査線と第５の走査線との間に配置され、前記第３の画素に隣接する第４の画素と、
を備え、
前記信号線のうち前記第１の走査線と第３の走査線信号線との間に配置される部分は、前記第２の方向に対して第１の所定の角度傾いて延伸し、
前記信号線のうち前記第３の走査線と第５の走査線信号線との間に配置される部分は、前記第２の方向に対して第２の所定の角度傾いて延伸し、
前記信号線はジグザグ状に前記第２の方向に延在するようにされる。
【請求項１１】
請求項１０の表示装置において、
前記第１および第３の画素はそれぞれ赤の副画素と緑の副画素と青の副画素とで構成され、
前記第２および第４の画素はそれぞれ赤の副画素と緑の副画素と白の副画素とで構成され、
前記第１および第３の画素の赤の副画素と緑の副画素は前記第２の方向に沿って配置され、前記第１および第３の画素の青の副画素は赤の副画素および緑の副画素と前記第１の方向に隣接して配置され、
前記第２および第４の画素の赤の副画素と緑の副画素は前記第２の方向に沿って配置され、前記第２および第４の画素の白の副画素は赤の副画素および緑の副画素と前記第１の方向に隣接して配置され、
前記第１および第２の画素の画素電極は前記第２の方向に対して前記第１の所定の角度傾いて延伸し、
前記第３および第４の画素の画素電極は前記第２の方向に対して前記第２の所定の角度傾いて延伸するようにされる。
【請求項１２】
請求項１０の表示装置において、
前記対向基板は、前記第１の方向に延在する第１のフォトスペーサと、前記第１の方向から第３の所定の角度傾いて延在する第２のフォトスペーサと、を備え、
前記アレイ基板は、前記第１のフォトスペーサと交差する第３のフォトスペーサと、前記第２のフォトスペーサと交差する第４のフォトスペーサと、を備える。
【請求項１３】
請求項１２の表示装置において、
前記第３の所定の角度は前記第１の所定の角度または前記第２の所定の角度である。
【請求項１４】
請求項１３の表示装置において、
前記第２のフォトスペーサと第４のフォトスペーサとは直交するように配置される。
【請求項１５】
表示装置は、
アレイ基板と、
対向基板と、
前記アレイ基板と前記対向基板との間に挟持される液晶層と、
を備え、
前記アレイ基板は、
第１の方向に延在する第１から第１０の走査線と、
第２の方向に延在する信号線と、
前記第１の走査線と第２の走査線との間に配置される第１の画素と、
前記第２の走査線と第３の走査線との間に配置され、前記第１の画素に隣接する第２の画素と、
前記第３の走査線と第４の走査線との間に配置され、前記第２の画素に隣接する第３の画素と、
前記第４の走査線と第５の走査線との間に配置され、前記第３の画素に隣接する第４の画素と、
前記第６の走査線と第７の走査線との間に配置され、前記第４の画素に隣接する第５の画素と、
前記第７の走査線と第８の走査線との間に配置され、前記第５の画素に隣接する第６の画素と、
前記第８の走査線と第９の走査線との間に配置され、前記第６の画素に隣接する第７の画素と、
前記第９の走査線と第１０の走査線との間に配置され、前記第７の画素に隣接する第８の画素と、
を備え、
前記信号線のうち前記第１の走査線と第５の走査線信号線との間に配置される部分は、前記第２の方向に対して第１の所定の角度傾いて延伸し、
前記信号線のうち前記第５の走査線と第１０の走査線信号線との間に配置される部分は、前記第２の方向に対して第２の所定の角度傾いて延伸し、
前記信号線はジグザグ状に前記第２の方向に延在するようにされる。
【請求項１６】
請求項１３の表示装置において、
前記第１、第３、第５および第７の画素はそれぞれ赤の副画素と緑の副画素と青の副画素とで構成され、
前記第２、第４、第６および第８の画素はそれぞれ赤の副画素と緑の副画素と白の副画素とで構成され、
前記第１、第３、第５および第７の画素の赤の副画素と緑の副画素は前記第２の方向に沿って配置され、前記第１、第３、第５および第７の画素の青の副画素は赤の副画素および緑の副画素と前記第１の方向に隣接して配置され、
前記第２、第４、第６および第８の画素の赤の副画素と緑の副画素は前記第２の方向に沿って配置され、前記第２、第４、第６および第８の画素の白の副画素は赤の副画素および緑の副画素と前記第１の方向に隣接して配置され、
前記第１から第４の画素の画素電極は前記第２の方向に対して前記第１の所定の角度傾いて延伸し、
前記第５から第８の画素の画素電極は前記第２の方向に対して前記第２の所定の角度傾いて延伸するようにされる。
【請求項１７】
請求項１５の表示装置において、
前記対向基板は、前記第１の方向に延在する第１のフォトスペーサと、前記第１の方向から第３の所定の角度傾いて延在する第２のフォトスペーサと、を備え、
前記アレイ基板は、前記第１のフォトスペーサと交差する第３のフォトスペーサと、前記第２のフォトスペーサと交差する第４のフォトスペーサと、を備える。
【請求項１８】
請求項１７の表示装置において、
前記第３の所定の角度は前記第１の所定の角度または前記第２の所定の角度である。
【請求項１９】
請求項１８の表示装置において、
前記第２のフォトスペーサと第４のフォトスペーサとは直交するように配置される。
【発明の詳細な説明】
【技術分野】
【０００１】
本開示は表示装置に関し、例えばマルチドメイン方式の表示装置に適用可能である。
【背景技術】
【０００２】
視野角依存性を低減するために同一の画素（副画素）内または２画素（副画素）間で液晶分子を異なる回転方向に制御するマルチドメイン（配向分割）方式の液晶表示装置が提案されている（例えば、特開２０１２−５３１３７号公報）。以下、同一の画素（副画素）内で２つに配向分割することをデュアルドメイン、２画素（副画素）間で２つに配向分割することを２画素疑似デュアルドメインという。
【先行技術文献】
【特許文献】
【０００３】
【特許文献１】特開２０１２−５３１３７号公報
【発明の概要】
【発明が解決しようとする課題】
【０００４】
高精細画素では、対向基板側のブラックマトリクスの形成においてコーナー部がマスクパターンのようには形成できず、丸まりによる開口率低下が生じる。特にデュアルドメイン化の際、ブラックマトリクスが屈曲している部分ではその影響が顕在化する。
その他の課題と新規な特徴は、本開示の記述および添付図面から明らかになるであろう。
【課題を解決するための手段】
【０００５】
本開示のうち、代表的なものの概要を簡単に説明すれば、下記のとおりである。
すなわち、表示装置は第１の方向に延在する走査線と第２の方向に延在する信号線とを備える。前記信号線は、複数画素ごとに前記第２の方向に対して第１の所定の角度傾いて延伸し、複数画素ごとに前記第２の方向に対して第２の所定の角度傾いて延伸し、ジグザグ状に前記第２の方向に延在するようにされる。
【図面の簡単な説明】
【０００６】
【図１】比較例１に係る表示装置を説明するための平面図である。
【図２】比較例１に係る表示装置を説明するための平面図である。
【図３】実施例に係る表示装置の構成を説明するための平面図である。
【図４】実施例に係る表示装置の構成を説明するための断面図である。
【図５】実施例に係る表示装置を説明するための平面図である。
【図６】実施例に係る表示装置を説明するための平面図である。
【図７】実施例に係る表示装置の効果を説明するための図である。
【図８】変形例に係る表示装置を説明するための平面図である。
【図９】可能なデュアルドメイン数と精細度の関係を説明するための図である。
【図１０】実施例に係る表示装置のフォトスペーサを説明するための平面図である。
【図１１】実施例に係る表示装置のフォトスペーサを説明するための断面図である。
【図１２】比較例２に係る表示装置のフォトスペーサを説明するための平面図である。
【図１３】実施例に係る表示装置のフォトスペーサを説明するための平面図である。
【発明を実施するための形態】
【０００７】
以下に、実施の形態、比較例、実施例および変形例について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００８】
まず、本発明者らが検討したＲＧＢＷ方式における２画素疑似デュアルドメイン方式（以下、比較例１という。）の表示装置について図１および図２を用いて説明する。図１は比較例１に係る表示装置の画素配列を示す平面図である。図１の左側は走査線および信号線の配置を示しており、図１の右側は副画素の開口パターン（ブラックマトリクスのパーターン）を示している。図２は比較例１に係る表示装置の走査線、信号線および画素電極を示す平面図である。
図１に示すように、比較例１に係る表示装置１００Ｓは、赤の副画素（以下、「Ｒ」と略す。）、緑の副画素（以下、「Ｇ」と略す。）および青の副画素（以下、「Ｂ」と略す。）で構成される第１の画素と、Ｒ、Ｇおよび白の副画素（以下、「Ｗ」と略す。）で構成される第２の画素と、が存在する。表示装置１００ＳはＷの追加によって透過率を向上させるため、Ｂの数の１／２をＷに置き換えている。ＧおよびＲのそれぞれの開口面積は、ＢおよびＷのそれぞれの開口面積の約１／２にしている。第１の画素はＹ方向にＲとＧとが隣接配置され、Ｘ方向にＲおよびＧとＢとが隣接配置されている。第２の画素はＹ方向にＲとＧとが隣接配置され、Ｘ方向にＲおよびＧとＷとが隣接配置されている。Ｘ方向に第１の画素または第２の画素のいずれかが配置され、Ｙ方向に第１の画素と第２の画素とが交互に配置されている。
【０００９】
Ｒ、Ｇ、ＢおよびＷは、それぞれ走査線（ゲート線）および信号線（ソース線）に接続される薄膜トランジスタ（ＴＦＴ）を備えている。走査線はＴＦＴのゲート電極に接続され、信号線はＴＦＴのソース電極に接続される。なお、信号線をドレイン線ということもあり、ドレイン線に接続されるＴＦＴの電極をドレイン電極という。
【００１０】
走査線ＧＬ１と走査線ＧＬ２との間に配置された第１の画素のＧは走査線ＧＬ１に接続され、ＲおよびＢは走査線ＧＬ２に接続される。また、走査線ＧＬ２と走査線ＧＬ３との間に配置された第２の画素のＧは走査線ＧＬ２に接続され、ＲおよびＷは走査線ＧＬ３に接続される。言い換えると、走査線ＧＬ２を挟んで隣接する第１の画素のＲおよび第２の画素のＧは走査線ＧＬ２に接続される。走査線ＧＬ２を挟んで隣接する第１の画素のＢは走査線ＧＬ２に接続され、第２の画素のＷは走査線ＧＬ３に接続される。すなわち、Ｙ方向に隣接するＧとＲとは同一の走査線に接続され、Ｙ方向に隣接するＢとＷとは異なる走査線に接続される。
【００１１】
Ｒは信号線ＳＬ１に接続され、Ｇは信号線ＳＬ２に接続され、ＷおよびＢは信号線ＳＬ３に接続される。ＲおよびＧは信号線ＳＬ１と信号線ＳＬ２との間に配置され、ＷおよびＢは信号線ＳＬ３と信号線ＳＬ４との間に配置される。言い換えると、信号線ＳＬ１と信号線ＳＬ２との間に配置されたＲは信号線ＳＬ１に接続され、信号線ＳＬ１と信号線ＳＬ２との間に配置されたＧは信号線ＳＬ２に接続される。また、信号線ＳＬ３と信号線ＳＬ４との間に配置されたＷおよびＢは信号線ＳＬ３に接続される。なお、信号線ＳＬ２と信号線ＳＬ３との間には副画素は配置されない。すなわち、副画素間に信号線が１本配置されるものと、副画素間に２本の信号線が配置されるものとがある。
【００１２】
図１に示すような副画素と信号線の配置の仕方（第１の信号線配置方式）の他に、ＲおよびＧを信号線ＳＬ１と信号線ＳＬ２との間に配置し、ＷおよびＢを信号線ＳＬ２と信号線ＳＬ３との間に配置する仕方（第２の信号線配置方式）にすることもできる。また、Ｘ方向に第１の画素と第２の画素とを交互に配置し、Ｙ方向に第１の画素と第２の画素とを交互に配置することもできる。
【００１３】
図２に示すように、走査線ＧＬ１と走査線ＧＬ２との間に配置された第１の画素の各副画素は右に傾いた平行四辺形状であり、走査線ＧＬ２と走査線ＧＬ３との間に配置された第２の画素の各副画素は左に傾いた平行四辺形状である。信号線ＳＬ１、ＳＬ２，ＳＬ３，ＳＬ４，ＳＬ５，ＳＬ６は１画素ごとにＹ方向から所定の角度傾いて配置されている。走査線ＧＬ１と走査線ＧＬ２との間および走査線ＧＬ３と走査線ＧＬ４との間に配置される信号線ＳＬ１、ＳＬ２，ＳＬ３，ＳＬ４，ＳＬ５，ＳＬ６は、Ｙ方向に対して右に傾いているとすると、走査線ＧＬ２と走査線ＧＬ３との間および走査線ＧＬ４と走査線ＧＬ５との間に配置される信号線ＳＬ１、ＳＬ２，ＳＬ３，ＳＬ４，ＳＬ５，ＳＬ６は、Ｙ方向に対して左に傾いていることになる。
【００１４】
Ｒの画素電極ＰＥＲ、Ｇの画素電極ＰＥＧ、Ｗの画素電極ＰＥＷおよびＢの画素電極ＰＥＢは、それぞれ２本の櫛歯状の電極から構成され、２本の櫛歯状の電極の長辺方向は信号線の延在方向に平行に配置される。言い換えると、２本の櫛歯状の電極で構成される開口部の長辺方向は信号線の延在方向に平行に配置される。２本の櫛歯状の電極で構成される開口部の長辺方向はＹ方向に対して所定の角度傾いている。
【００１５】
これにより、走査線ＧＬ１と走査線ＧＬ２との間および走査線ＧＬ２と走査線ＧＬ３との間に配置される画素（副画素）内で液晶分子の水平回転方向がそれぞれ異なる２つの領域を形成する。これが２画素疑似デュアルドメインである。
【００１６】
表示装置１００Ｓは、Ｙ方向に１画素ごとに信号線を屈曲されるため、図１の破線円に示すように、ブラックマトリクス２２のパターンもＹ方向に１画素ごとに屈曲する。ブラックマトリクス２２の形成においてコーナー部がマスクパターンのようには形成できず、丸まりによる開口率低下が生じる。特にデュアルドメイン化の際、ブラックマトリクス２２が屈曲している部分ではその影響が顕在化する。
【００１７】
＜実施形態＞
実施形態に係る表示装置では、疑似デュアルドメインの画素単位を４画素単位以上とし、くの字の頂角の数を減らすことで、開口率低下を抑制することができる。
例えば、表示装置は第１の方向（Ｘ方向）に延在する走査線と第２の方向（Ｙ方向）に延在する信号線とを備える。信号線は、複数画素ごとに第２の方向に対して第１の所定の角度傾いて延伸し、複数画素ごとに第２の方向に対して第２の所定の角度傾いて延伸し、ジグザグ状に第２の方向に延在するようにされる。各画素の画素電極は第２の方向に対して第１の所定の角度または第２の所定の角度傾いて延伸するようにされる。
【００１８】
以下の実施例では、比較例１で説明した画素配列のＲＧＢＷ方式の表示装置について説明するが、これに限定されるものではなく、比較例１で説明した画素配列のＲＧＢＷ方式以外のＲＧＢＷ方式の表示装置やＲＧＢ方式の表示装置にも適用できる。また、４画素疑似デュアルドメインおよび８画素疑似デュアルドメインについて説明するが、これに限定されるものではなく、６画素疑似デュアルドメイン等、４画以上の疑似デュアルドメインに適用できる。
【実施例】
【００１９】
実施例に係る表示装置について図３から図７を用いて説明する。図３は実施例に係る表示装置の全体の概略を示す平面図である。図４は図３のＡ−Ａ’線における断面図である。図５は実施例に係る表示装置の画素配列を示す平面図である。図５の左側は走査線および信号線の配置を示しており、図５の右側は副画素の開口パターン（ブラックマトリクスのパーターン）を示している。図６は実施例に係る表示装置の走査線、信号線および画素電極を示す平面図である。図７は実施例に係る表示装置の効果を説明するための図であり、比較例１の２画素疑似デュアルドメインから実施例の４画素疑似デュアルドメインに変更したときの開口率効果試算値である。
【００２０】
図３および図４に示すように、実施例に係る表示装置１００は表示パネル１とドライバＩＣ２とバックライト３とを備える。表示パネル１は、アレイ基板１０と、対向基板２０と、アレイ基板１０と対向基板２０との間に封入される液晶材料３０と、を備える。アレイ基板１０と対向基板２０とは、表示領域ＤＡを囲む環状のシール材４０で接着されており、液晶材料３０は、アレイ基板１０、対向基板２０、およびシール材４０で囲まれた空間に密封されている。また、アレイ基板１０および対向基板２０の外側を向いた面、すなわち液晶材料３０と対向する面の裏面には、それぞれ、下偏光板５０Ａおよび上偏光板５０Ｂが設けられている。また、表示領域ＤＡは、例えば、マトリクス状に配置された複数個の画素の集合で構成されている。アレイ基板１０は、図示しないＴＦＴで形成された走査線を駆動する走査回路を備える。ドライバＩＣ２は、図示しない信号線を駆動する回路を備える。
【００２１】
図５に示すように、表示装置１００の画素、走査線および信号線の配置は、基本的に表示装置１００Ｓと同様である。第１の画素はＹ方向にＲとＧとが隣接配置され、Ｘ方向にＲおよびＧとＢとが隣接配置されている。第２の画素はＹ方向にＲとＧとが隣接配置され、Ｘ方向にＲおよびＧとＷとが隣接配置されている。Ｘ方向に第１の画素または第２の画素のいずれかが配置され、Ｙ方向に第１の画素と第２の画素とが交互に配置されている。
図５および図６に示すように、走査線ＧＬ１と走査線ＧＬ３との間に配置された第１おび第２の画素の各副画素はそれぞれ右に傾いた平行四辺形状であり、信号線に沿った辺はＸ方向に沿った辺よりも長い。走査線ＧＬ３と走査線ＧＬ５との間に配置された第１および第２の画素の各副画素はそれぞれ左に傾いた平行四辺形状であり、信号線に沿った辺はＸ方向に沿った辺よりも長い。信号線ＳＬ１、ＳＬ２，ＳＬ３，ＳＬ４，ＳＬ５，ＳＬ６は２画素ごとにＹ方向から所定の角度傾いて配置されている。走査線ＧＬ１と走査線ＧＬ３との間に配置される信号線ＳＬ１、ＳＬ２，ＳＬ３，ＳＬ４，ＳＬ５，ＳＬ６の延在方向Ｅは、＋Ｙ方向に対して右にθ１傾いている。走査線ＧＬ３と走査線ＧＬ５との間との間に配置される信号線ＳＬ１、ＳＬ２，ＳＬ３，ＳＬ４，ＳＬ５，ＳＬ６の延在方向Ｆは、−Ｙ方向に対して左にθ２（＝−θ１）傾いている。
Ｒの画素電極ＰＥＲ、Ｇの画素電極ＰＥＧ、Ｗの画素電極ＰＥＷおよびＢの画素電極ＰＥＢは、それぞれ２本の櫛歯状の電極から構成され、２本の櫛歯状の電極の長辺方向は信号線の延在方向に平行に配置される。言い換えると、２本の櫛歯状の電極で構成される開口部の長辺方向は信号線の延在方向に平行に配置される。２本の櫛歯状の電極で構成される開口部の長辺方向はＹ方向に対して所定の角度傾いている。走査線ＧＬ１と走査線ＧＬ３との間に配置される電極の長辺方向および開口部の長辺方向は方向Ｅと平行で、＋Ｙ方向に対して右にθ１傾いている。走査線ＧＬ３と走査線ＧＬ５との間との間に配置される電極の長辺方向および開口部の長辺方向は方向Ｆと平行で、−Ｙ方向に対して左にθ２（＝−θ１）傾いている。ここで、θ１は、例えば、５度から１５度程度の角度である。なお、液晶の初期配向方向はＸ方向またはＹ方向である。
これにより、走査線ＧＬ１と走査線ＧＬ３との間および走査線ＧＬ３と走査線ＧＬ５との間に配置される画素（副画素）内で液晶分子の水平回転方向がそれぞれ異なる２つの領域を形成する。これが４画素疑似デュアルドメインである。
【００２２】
表示装置１００は、Ｙ方向に２画素ごとに信号線を屈曲されるため、図５の破線円に示すように、ブラックマトリクス２２のパターンもＹ方向に２画素ごとに屈曲する。なお、破線円Ｄの部分は屈曲部ではない。屈曲回数を低減することにより、ブラックマトリクス２２が屈曲している部分が比較例１よりも少なくなるので、ブラックマトリクス２２のコーナー部の丸まりが比較例１よりも改善され、開口率低下を低減することができる。
【００２３】
図７に示すように、実施例の４画素疑似デュアルドメインは比較例１の２画素疑似デュアルドメインに比べて精細度が５００ｐｐｉ（pixel per inch）で約１０２％、７００ｐｐｉで約１０４％、１０００ｐｐｉで約１１０％と、精細度が大きくなるほど開口率の改善効果が大きくなる。
【００２４】
＜変形例＞
変形例に係る表示装置について図８を用いて説明する。図８は変形例に係る表示装置の走査線、信号線および画素電極を示す平面図である。図８に示すように、変形例に係る表示装置１００Ａの画素、走査線および信号線の配置は、基本的に表示装置１００Ｓと同様である。第１の画素はＹ方向にＲとＧとが隣接配置され、Ｘ方向にＲおよびＧとＢとが隣接配置されている。第２の画素はＹ方向にＲとＧとが隣接配置され、Ｘ方向にＲおよびＧとＷとが隣接配置されている。Ｘ方向に第１の画素または第２の画素のいずれかが配置され、Ｙ方向に第１の画素と第２の画素とが交互に配置されている。
図８に示すように、走査線ＧＬ１と走査線ＧＬ５との間に配置された第１おび第２の画素の各副画素はそれぞれ右に傾いた平行四辺形状であり、信号線に沿った辺はＸ方向に沿った辺よりも長い。走査線ＧＬ５と走査線ＧＬ９との間に配置された第１および第２の画素の各副画素はそれぞれ左に傾いた平行四辺形状であり、信号線に沿った辺はＸ方向に沿った辺よりも長い。信号線ＳＬ１、ＳＬ２，ＳＬ３，ＳＬ４，ＳＬ５，ＳＬ６は４画素ごとにＹ方向から所定の角度傾いて配置されている。走査線ＧＬ１と走査線ＧＬ５との間に配置される信号線ＳＬ１、ＳＬ２，ＳＬ３，ＳＬ４，ＳＬ５，ＳＬ６の延在方向Ｅは、Ｙ方向に対して右にθ１傾いている。走査線ＧＬ５と走査線ＧＬ９との間との間に配置される信号線ＳＬ１、ＳＬ２，ＳＬ３，ＳＬ４，ＳＬ５，ＳＬ６の延在方向Ｆは、Ｙ方向に対して左にθ２（＝−θ１）傾いている。
Ｒの画素電極ＰＥＲ、Ｇの画素電極ＰＥＧ、Ｗの画素電極ＰＥＷおよびＢの画素電極ＰＥＢは、それぞれ２本の櫛歯状の電極から構成され、２本の櫛歯状の電極の長辺方向は信号線の延在方向に平行に配置される。言い換えると、２本の櫛歯状の電極で構成される開口部の長辺方向は信号線の延在方向に平行に配置される。２本の櫛歯状の電極で構成される開口部の長辺方向はＹ方向に対して所定の角度傾いている。走査線ＧＬ１と走査線ＧＬ５との間に配置される電極の長辺方向および開口部の長辺方向は方向Ｅと平行で、＋Ｙ方向に対して右にθ１傾いている。走査線ＧＬ５と走査線ＧＬ９との間との間に配置される電極の長辺方向および開口部の長辺方向は方向Ｆと平行で、−Ｙ方向に対して左にθ２（＝−θ１）傾いている。ここで、θ１は実施例と同様であり、例えば、５度から１５度程度の角度である。なお、液晶の初期配向方向はＸ方向またはＹ方向である。
これにより、走査線ＧＬ１と走査線ＧＬ５との間および走査線ＧＬ５と走査線ＧＬ９との間に配置される画素（副画素）内で液晶分子の水平回転方向がそれぞれ異なる２つの領域を形成する。これが８画素疑似デュアルドメインである。
【００２５】
表示装置１００Ａは、Ｙ方向に４画素ごとに信号線を屈曲されるため、ブラックマトリクス２２のパターンもＹ方向に４画素ごとに屈曲する。屈曲回数を低減することにより、ブラックマトリクス２２が屈曲している部分が実施例よりも少なくなるので、ブラックマトリクス２２のコーナー部の丸まりが実施例１よりも改善され、開口率低下を低減することができる。
【００２６】
比較例１、実施例、変形例は、１画素中のデュアルドメインではないので、精細度が小さいと視野角依存性が現れるが、精細度を大きくすると視野角依存性がなくなる。これについて図９を用いて説明する。図９は可能なデュアルドメイン数と精細度の関係を説明するための図である。
図９の曲線Ｇは比較例１の２画素疑似デュアルドメイン、曲線Ｈは実施例の４画素疑似デュアルドメイン、曲線Ｉは変形例の８画素疑似デュアルドメインである。例えば、視距離２５ｃｍで使う表示装置の場合、解像度が約４６６ｐｐｉ以上から４画素疑似デュアルドメインが、約９３１ｐｐｉ以上から８画素疑似デュアルドメインが可能となる。よって、高解像度になるにつれて、ｎ画素疑似デュアルドメインのｎを大きくすることが可能となる。
【００２７】
実施例および変形例に係る表示装置の別の効果について図１０から図１３を用いて説明する。図１０は図５の破線円Ｃにおける実施例に係る表示装置のフォトスペーサを説明するための平面図である。図１１は図１０のＪ−Ｊ’線における断面図である。図１２は図５の破線円Ｄにおける比較例２に係る表示装置のフォトスペーサを説明するための平面図である。図１３は図５の破線円Ｄにおける実施例に係る表示装置のフォトスペーサを説明するための平面図である。
図５に示すように、ブラックマトリクス２２のパターンは屈曲部（破線円Ｃ）の他に直線部（破線円Ｄ）を有する。表示装置１００では、破線円Ｃおよび破線円Ｄの部分に、アレイ基板側のフォトスペーサと対向基板側のフォトスペーサとがクロスするように形成される。
図１０に示すように、図５の破線円Ｃの部分では、Ｙ方向に延在するブラックマトリクス２２は屈曲している（Ｙ方向からθ１右に傾いた方向ＥとＹ方向からθ２左に傾いた方向Ｆに沿って延在している）ので、フォトスペーサ１５Ａも屈曲している（Ｙ方向からθ１右に傾いた方向ＥとＹ方向からθ２左に傾いた方向Ｆに沿って延在している）。Ｘ方向に延在するブラックマトリクス２２は直線状であるので、フォトスペーサ２５Ａも直線状である。なお、図１１に示すように、対向基板２０はガラス基板２１にブラックマトリクス２２、カラーフィルタ２３、オーバコート膜２４等で構成されている。ここで、フォトスペーサとは、アレイ基板１０と対向基板２０との間隔を保つためのものであり、有機材料をフォトリソグラフィでパターニングして形成される。なお、信号線の上に延在するブラックマトリクス２２の幅は、例えば５μｍであり、フォトスペーサ１５Ａ、２５Ａの幅は、例えば３μｍである。図１０および図１１に示すように、フォトスペーサ１５Ａはアレイ基板１０上に形成され、フォトスペーサ２５Ａは対向基板２０上に形成されているが、フォトスペーサ１５Ａは対向基板２０上に形成され、フォトスペーサ２５Ａはアレイ基板１０上に形成されてもよい。
図１２に示すように、比較例２に係る表示装置では、図５の破線円Ｄの部分において、Ｙ方向に延在するブラックマトリクス２２はＹ方向から所定の角度（θ２）傾いて方向Ｆに沿って直線状に延在するので、フォトスペーサ１５ＢもＹ方向から所定の角度（θ２）傾いて方向Ｆに沿って直線状に延在する。また、Ｘ方向に延在するブラックマトリクス２２は直線状であるので、フォトスペーサ２５ＢＲも直線状でＸ方向に延在する。
図１３に示すように、実施例に係る表示装置では、図５の破線円Ｄの部分において、Ｙ方向に延在するブラックマトリクス２２はＹ方向から所定の角度（θ２）傾いて方向Ｆに沿って直線状に延在するので、フォトスペーサ１５ＢもＹ方向から所定の角度（θ２）傾いて方向Ｆに沿って直線状に延在する。また、Ｘ方向に延在するブラックマトリクス２２は直線状であるので、フォトスペーサ２５Ｂも直線状であるがＸ方向からθ２傾いて方向Ｋに沿って延在し、フォトスペーサ１５Ｂと直交するように配置される。これにより、フォトスペーサ２５Ｂの全長をフォトスペーサ２５ＢＲよりも短くすることができる。なお、信号線の上に延在するブラックマトリクス２２の幅は、例えば５μｍであり、フォトスペーサ１５Ｂ、２５Ｂの幅は、例えば３μｍである。図１３に示すように、フォトスペーサ１５Ｂはアレイ基板１０上に形成され、フォトスペーサ２５Ｂは対向基板２０上に形成されているが、フォトスペーサ１５Ｂは対向基板２０上に形成され、フォトスペーサ２５Ｂはアレイ基板１０上に形成されてもよい。
２画素疑似デュアルドメインでは図５の破線円Ｄの部分のようにブラックマトリクス２２のパターンは直線部が存在しないが、４画素疑似デュアルドメインおよび８画素疑似デュアルドメインでは図５の破線円Ｄの部分のようにブラックマトリクス２２のパターンは直線部が存在するので、上述したようにフォトスペーサの長さを短くすることができる。
【符号の説明】
【００２８】
１・・・表示パネル
２・・・ドライバＩＣ
３・・・バックライト
１０・・・アレイ基板
１５・・・フォトスペーサ
２０・・・対向基板
２１・・・ガラス基板
２２・・・ブラックマトリクス
２３・・・カラーフィルタ
２４・・・オーバコート膜
２５・・・フォトスペーサ
３０・・・液晶層
４０・・・シール材
５０Ａ，５０Ｂ・・・偏光板
１００，１００Ａ，１００Ｓ・・・表示装置
ＧＬ１〜ＧＬ９・・・走査線
ＰＥＢ，ＰＥＧ，ＰＥＲ，ＰＥＷ・・・画素電極
ＳＬ１〜ＳＬ６・・・信号線
【図１】
2016126179.tif 000003
【図２】
2016126179.tif 000004
【図３】
2016126179.tif 000005
【図４】
2016126179.tif 000006
【図５】
2016126179.tif 000007
【図６】
2016126179.tif 000008
【図７】
2016126179.tif 000009
【図８】
2016126179.tif 000010
【図９】
2016126179.tif 000011
【図１０】
2016126179.tif 000012
【図１１】
2016126179.tif 000013
【図１２】
2016126179.tif 000014
【図１３】
2016126179.tif 000015